(57)【特許請求の範囲】
【請求項１】
互いに対向する少なくとも一対の側壁を備えた筐本体と、該筐本体の上部開口部において該筐本体に対して回動して開閉可能に取り付けられた蓋を備え、前記筐本体の前記対向する第１と第２の側壁に、内部に収納される量水器及びその他の水道用器機の外部の配管若しくは機器との接続部が挿通される第１と第２の接続孔をそれぞれ備えた量水器筐において、前記筐本体はそれぞれの当接端面において互いに対して着脱自在に当接されて組み立てられる上部筐体と下部筐体とを備え、前記第１と第２の接続孔は、前記側壁の横方向の中心から横方向片側へ所定距離だけオフセットして、同芯状に形成されており、前記第１と第２の接続孔は、前記対向する第１と第２の側壁を構成する、前記上部筐体と下部筐体との各側壁部に形成された、前記当接面において開いている切り欠きによって画成され、前記上部筐体と下部筐体とのいずれか一方の前記側壁部にはさらに、前記上部筐体が前記下部筐体に対し１８０度回転して載置されたときに、前記上部筐体と下部筐体との他方に形成された前記切り欠きに連接して、前記第１と第２の接続孔と同じ接続孔を画成することのできる補完用切り欠きが形成されている、量水器筐。
【請求項２】
前記上部筐体と下部筐体とのうちの他方の側壁部の当接部には、前記補完用切り欠きに嵌入し、実質的に前記補完用切り欠きを塞ぐことのできる突出部が形成されている、請求項１記載の量水器筐。
【発明の詳細な説明】
【０００１】
【産業上の利用分野】
本発明は水道の量水器筐に関し、さらに詳細に言えば、筐内に設置される機器の筐の外部へ接続するための接続部が挿通される接続孔が、側壁の中心からずれて配置された量水器筐において、筐本体を構成する上下２体の部材の一方を他方に対して１８０度回転して組み立てても、先の孔が同じ位置に形成されるようにした量水器筐に関する。
【０００２】
【従来の技術】
水道の量水器筐は、その中に水の流れ方向に直列に接続された量水器、止水栓、逆止弁等を収納し、それらの機器が水の流れ方向の左右略対象の形態を成しているところから、その外部への接続部が挿通される側壁の孔は、側壁の横方向で略中心に位置している。
【０００３】
ところで本願出願人は、特願平７−１７１６４１号において、この量水器をバイパスできるバイパス管を備えた、水道機器の配管接続用装置を提供した。第１図はその概略の構成を示す平面図である。図中Ｍは量水器、Ｖは仕切弁を示している。この接続用装置１は、左右に配置された三方弁３とチーズ５を備え、三方弁３と、量水器Ｍ、仕切弁Ｖ、チーズ５により第１の流路が形成される。一方、三方弁３とチーズ５との間に、図示のように量水器Ｍ、仕切弁Ｖを迂回するバイパス管７が取り付けられ、第２の流路を形成するようになっている。仕切弁Ｖはチーズ５に取り付けられ、量水器Ｍは着脱装置を用いて三方弁３と仕切弁Ｖとの間で挟持されるようになっている。すなわち、三方弁３に取り付けられた回転筒１１をその外周部の突起１３を利用して回転させ、回転筒１１に螺合し、回り止めされたスライド部材１５を前後進させることにより、量水器Ｍはこの装置に着脱自在に取り付けられている。符号９は、バイパス管７と反対側に取り付けられた連結棒である。三方弁３と仕切弁Ｖとを操作することにより、第１と第２の流路を選択できる。通常の使用状態では第１の流路が選択されているが、量水器の交換を行う際には第２の流路に切り換えられ、これにより、断水することなく量水器の交換が可能となるものである。
【０００４】
ところで、バイパス管７は所定の管径を必要とするので、図からも明らかなように、この装置においては、第１の流路の中心からの左右寸法が異なり、バイパス管７が配置される側の寸法Ｌが連結棒９の配置される側の寸法ｌより大きくなる。従って、この量水器を収納する量水器筐をスペースに無駄が生じないように作ると、外部に接続するための三方弁３、チーズ５の接続部が挿通される孔は、筐の側壁の横方向の中心からずれることとなる。
【０００５】
ところで、量水器筐の上部開口部に取り付けられる蓋は、筐に対しある特定の方向に回転して明けられるようになっている。この場合、量水器筐が建物或いは塀のすぐ側に設置されたような場合、蓋の回転方向によっては、その開いた蓋が作業の邪魔になる場合がある。前述の孔が側壁の中央に位置している場合は、筐を１８０度回転して設置すれば良いのであるが、孔が中央からずれている場合には、１８０度回転させて設置しようとすると、外部との接続の関係上、筐そのものの配置位置をずらすか、外部の配管の位置をずらす必要があり、それが建物或いは塀が障害となって不可能な場合がある。
【０００６】
【発明が解決しようとする課題】
本願発明は、上記の点に鑑みなされたものであり、上記の如き量水器の中心からの左右寸法が異なる量水器ユニットに用いて好適な、その設置位置を変えることなく蓋の位置を１８０度反対位置にすることが可能な量水器筐を提供することを目的とする。
【０００７】
【課題を解決するための手段】
上記課題を解決するために、本発明にかかる量水器筐においては以下のように構成した。すなわち本発明の量水器筐においては、筐本体の対向する第１と第２の側壁に第１と第２の接続孔を設け、これらの接続孔は側壁の横方向の中心から横方向片側へ所定距離だけオフセットして、同芯状に形成される。そしてこの筐本体は上部筐体と下部筐体とで構成し、接続孔は、これら上下筐体の側壁部の互いの当接部に開いた切り欠きで画成されるようになっている。さらに上部筐体と下部筐体とのいずれか一方の側壁部には、上部筐体が前記下部筐体に対し１８０度回転して載置されたときに、上部筐体と下部筐体との他方に形成された前記切り欠きに連接して、前記第１と第２の接続孔と同じ接続孔を画成することのできる補完用切り欠きが形成されている。
【０００８】
【実施の形態】
以下、図面に基づき本願発明の具体的実施の形態を説明するが、本願発明の範囲は以下に説明される実施の形態に限定されるのではない。
【０００９】
図２は本発明の第１の実施の形態にかかる量水器筐２１の、図３における２−２線による縦断面図であり、図３は図２における３−３線による断面図である。量水器筐２１は、筐本体２３と、筐本体２３の上部開口部に取り付けられた蓋２５とからなり、筐本体２３はさらに上部筐体２７と、下部筐体２９とからなっている。そして上部筐体２７は、長手方向に対向して延びる長辺側壁３３、３５と、短手方向に対向して延びる短辺側壁３７、３９とを備えている。他方、下部筐体２９は、上部筐体２７の各側壁に対応する長辺側壁４１、４３と、短辺側壁４５、４７と、底壁４９とを備えている。このようにして構成されている筐２１の中に、図２において左右方向に量水器等が並んで配置されることとなる。
【００１０】
蓋２５は、上部筐体２７の上部開口近くに形成された内側鍔部３１の上に載置されている。そして、上部筐体２７の一方の長辺側壁３５から内方へ２本の短いアーム５１が延び、そのアーム５１の互いに対向する内側側面にピン５３が植えられている（図３参照）。このピン５３に、蓋２５の一方の長辺側縁部付近の下面側に設けられた半円状の取付け部５５が嵌まり、蓋２５はこのピン５３の回りに回動可能になっている。蓋２５の反対側の側縁部中央部に切り欠き５７が形成され、ここに指をいれて図３に破線で示すように蓋２５を引き起こすことができるが、蓋２５を筐本体２３から外すことはできないようになっている。
【００１１】
なお、下部筐体２９には、実際にはその底部には所定の凸部あるいは孔が形成されるのが通常であるが、本発明の説明に関しては不要であるので、それらは図示してない。上部筐体２７の四隅には断面略三角形の柱状体５９が形成され、その下端部が下部筐体２９の四隅に嵌まった状態で、上部筐体２７が位置決めされて下部筐体２９の上に載置され、筐本体２３を構成している。そして、上下筐体２７、２９が組み立てられたとき、筐本体２３の短辺側壁６１、６３に、本実施例においては同じ径の孔６５、６７が形成されるようになっている。この孔６５、６７についてさらに詳述する。
【００１２】
すなわち、上部筐体２７の一方の短辺側壁３７の、下部筐体２９の側壁４５に当接する下縁部に、この短辺側壁３７の横方向の中心からそれぞれ等しい距離ｆだけ離れ、下縁部の延長線上に位置する点Ｏ、Ｏ’をそれぞれ中心として半径ｒの半円の切り欠き６９，６９’が形成されている。本実施例では半径ｒが距離ｆより大きいので、二つの半円は途中で交差している。
【００１３】
他方、下部筐体２９の側壁４５の、上部筐体２７の側壁３７に当接する上縁部には、上部筐体２７の右側の半円の切り欠き６９と共に孔６５を画成する半円状の切り欠き７１と、上部筐体２７のもう一方の切り欠き６９’を実質的に塞ぐ略半円状の突起７３が画成されている。なお、図示のとおり、下部筐体２９の切り欠き７１の左側端部はそのまま上方へ真っ直ぐ延びて、左側の突起７３の一部を切り欠く形になっている。
【００１４】
図４は、図２の右側面図である。上部筐体２７の他方の短辺側壁３９の、下部筐体２９の側壁４７に当接する下縁部に、この側壁３９の横方向の中心からそれぞれ等しい距離ｆだけ離れ、下縁部の延長線上に位置する点Ｐ、Ｐ’をそれぞれ中心として半径ｒの半円の切り欠き７５，７５’が形成されている。本実施例では半径ｒが距離ｆより大きいので、二つの半円は途中で交差している。
【００１５】
他方、下部筐体２９の側壁４７の、上部筐体２７の側壁３９に当接する上縁部には、上部筐体２７の右側の半円の切り欠き７５’と共に孔６７を画成する半円状の切り欠き７７と、上部筐体２７のもう一方の切り欠き７５を実質的に塞ぐ略半円状の突起７９が画成されている。なお、図示のとおり、下部筐体２９の切り欠き７７の左側端部はそのまま上方へ真っ直ぐ延びて、左側の突起７９の一部を切り欠く形になっている。孔６７は、他方の孔６５と同心となり、その径も同じとなる。
【００１６】
ここで、上部筐体２７を、下部筐体２９に対して１８０度回転して載置した場合、孔６５は上部筐体２７の切り欠き７５と下部筐体２９の切り欠き７１とにより、孔６７は上部筐体２７の切り欠き６９’と下部筐体２９の切り欠き７７とにより画成され、上部筐体２７の切り欠き６９と７５’は、下部筐体２９の突起７９、７３によって塞がれる。すなわち、上部筐体２７を１８０度回転して下部筐体２９の上に載置しても、まったく同じ位置に先と同じ孔６５と６７が画成されることとなる。従って、この量水器筐２１の設置場所に応じて、蓋が作業のし易い方向に開くように、この量水器筐２１を設置することが可能となる。
【００１７】
図５及び図６は、本発明の第２の実施の形態を示す右側面図及び左側面図である。この実施の形態は、側壁に画成される孔の形状を除いて、第１の実施の形態と同じ構成となっている。すなわち本実施の態様においては、量水器筐２０１の筐本体２０２の右側面に形成される孔２１１の直径は、左側面に形成される孔２１３の直径より小さい。
【００１８】
すなわち、筐本体２０２を形成する上部筐体２０３の右側壁２０７の下縁部には、それぞれこの側壁の横方向の中心から等しい距離ｇだけ離れ、下縁部の延長線上に位置する点Ｑ、Ｑ’をそれぞれ中心として、半径ｓ、ｔの切り欠き２１５と２１７が形成されている。なお、半径ｓは半径ｔより大きい。他方、下部筐体２０５の右側壁２１９の上縁部には、切り欠き２１５を埋める半径ｓの突起２２１と、切り欠き２１７と共に孔２１１を画成する半径ｔの切り欠き２２３とが、それぞれ点Ｑと点Ｑ’を中心として形成されている。切り欠き２２３の左側端部はそのまま上方へ真っ直ぐ延びて、突起２２１の一部を切り欠いている。
【００１９】
一方、上部筐体２０３の左側壁２０９の下縁部には、それぞれこの側壁の横方向の中心から距離ｇだけ離れ、下縁部の延長線上に位置する点Ｒ、Ｒ’をそれぞれ中心として、半径ｓ、ｔの切り欠き２２５と２２７が形成されている。そして下部筐体２０５の左側壁２２９の上縁部には、切り欠き２２５とともに孔２１３を画成する半径ｓの切り欠き２３１と、切り欠き２２７を塞ぐ半径ｔの突起２３３とが、それぞれ点Ｑと点Ｑ’を中心として形成されている。切り欠き２３１の左側端部はそのまま上方へ真っ直ぐ延びて、突起２２１の一部を切り欠いている。この構成においては、上部筐体２０３を下部筐体２０５に対して１８０度回転して載置しても、孔２１１と２１３とは図５及び図６に示すのと同じ状態で得られ、他方、蓋（図示せず）は反対側に開くこととなる。
【００２０】
図７及び図８は、本発明の第３の実施の形態を示す右側面図及び左側面図である。この実施の形態も、側壁に画成される孔の形状を除いて、第１の実施の態様と同じ構成となっている。すなわち本実施の態様においては、量水器筐３０１の筐本体３０２の右側壁に形成される孔３１１の直径は、左側面に形成される孔３１３の直径より小さい。さらに、孔３１１、３１３の中心間距離は、孔３１１と３１３の半径の和より大きい距離だけ離れている。
【００２１】
すなわち、筐本体３０２を形成する上部筐体３０３の右側壁３０７の下縁部には、それぞれこの側壁３０７の横方向の中心から距離ｈだけ離れ、下縁部の延長線上に位置する点Ｓ、Ｓ’をそれぞれ中心として、半径ｎ、ｍの切り欠き３１５と３１７が形成されている。ここで、半径ｎは半径ｍより大きい。また、半径ｎとｍの和は、距離ｈの二倍より小さい。従って、切り欠き３１５と３１７を形成する半円弧が交差することはない。他方、下部筐体３０５の右側壁３１９の上縁部には、切り欠き３１５を埋める半径ｌの突起３２１と、切り欠き３１７と共に孔３１１を画成する半径ｍの切り欠き３２３とが、それぞれ点Ｓと点Ｓ’を中心として形成されている。
【００２２】
一方、上部筐体３０３の左側壁３０９の下縁部には、それぞれ側面の左右対称の中心線から距離ｈだけ離れ、下縁部の延長線上に位置する点Ｔ、Ｔ’をそれぞれ中心として、半径ｎ、ｍの切り欠き３２５と３２７が形成されている。そして下部筐体３０５の左側壁３２９の上縁部には、切り欠き３２５とともに孔３１３を画成する半径ｎの切り欠き３３１と、切り欠き３２７を埋める半径ｍの突起３３３とが、それぞれ点Ｔと点Ｔ’を中心として形成されている。従ってこの構成においても、上部筐体３０３を下部筐体３０５に対して１８０度回転して載置しても、孔３１１と３１３とは図７及び図８に示すのと同じ状態で得られ、他方、蓋（図示せず）は反対側に開くこととなる。
【００２３】
なお、接続孔を画成する切り欠きの円弧の中心は、必ずしも上下の筐体の当接面の延長線上に位置する必要はない。また、突起とこれを収受する切り欠きとは、先の例とは異なって上部筐体に突起を、下部筐体に切り欠きを設けてもよい。さらに、その場合に、切り欠きと突起との間に隙間が生じてもよいし、或いは突起そのものを廃止してもよい。
【００２４】
【発明の効果】
以上説明したように、本発明の量水器筐においては、上部筐体を下部筐体に対して１８０度回転して載置しても、同じ位置に同じ形状の接続孔が得られ、外部の配管或いは機器との接続を行う際に、作業の行いやすい方向に蓋を開くことが可能となるあ。また、量水器筐を最小限必要な大きさの寸法に抑えることが可能となり、その設置スペースも最小に抑えることが可能となる。
【図面の簡単な説明】
【図１】本発明の量水器筐を適用するに好適な量水器ユニットの構成を示す平面図である。
【図２】第１の実施の形態に係る量水器筐の断面図であり、図３の２−２線に沿って取ったものである。
【図３】図２の３−３線による断面図である。
【図４】図２の右側面図である。
【図５】第２の実施の態様を示す量水器筐の右側面図である。
【図６】第２の実施の態様を示す量水器筐の左側面図である。
【図７】第３の実施の態様を示す量水器筐の右側面図である。
【図８】第３の実施の態様を示す量水器筐の左側面図である。
【符号の説明】
２１  量水器筐
２３  筐本体
２５  蓋
２７  上部筐体
２９  下部筐体
６５、６７  接続孔
６９、６９’  切り欠き
７１  切り欠き
７３  突起
７５、７５’  切り欠き
７７  切り欠き
７９  突起
【図１】
0003682337.tif 000002
【図２】
0003682337.tif 000003
【図３】
0003682337.tif 000004
【図４】
0003682337.tif 000005
【図５】
0003682337.tif 000006
【図６】
0003682337.tif 000007
【図７】
0003682337.tif 000008
【図８】
0003682337.tif 000009